(57)【要約】【課題】簡単な構造で立体感のある表示を行い、意匠効果を向上させることができるようにする。【解決手段】電子機器のケース１１の正面に設けられる表示パネル１０は、透明な材料による表面部材１２と表示部材１３とを重ね合わせて表示器１４を覆うような構造を有する。表示器１４を発光させないと、表示パネル１０の正面側からは、表面部材１２の裏面側の印刷面１５による表示のみが視認可能となる。表示器１４を発光させれば、印刷面１５とともに、表示部材１３の裏面側の印刷面１６も正面から視認可能となる。印刷面１５，１６間には間隔があるので、奥行のある立体的な表示を行うことができ、意匠効果を向上させることができる。【選択図】　　　図１
2004117566.tif 000002
【特許請求の範囲】
【請求項１】
各種機器の意匠面となる表示パネル構造であって、
透光性を有する表面部材と、
表面部材よりも奥側に設けられ、表面に、表面部材を透過して機器の外部から視認可能な表示面が形成される表示部材とを含み、
表面部材自体にも、表面よりも奥側に、機器の外部から視認可能な表示領域が形成されることを特徴とする表示パネル構造。
【請求項２】
前記表面部材は、前記表示部材側に平坦面を有する透明材料からなり、
前記表示領域は、該平坦面上に形成され、
前記表示部材は、大略的に板形状である透明材料からなり、
前記表示面は、該板形状の奥側表面に形成されることを特徴とする請求項１記載の表示パネル構造。
【請求項３】
前記表示部材は、複数設けられることを特徴とする請求項２記載の表示パネル構造。
【請求項４】
前記表面部材と前記表示部材とは、異種の材質であることを特徴とする請求項１〜３のいずれかに記載の表示パネル構造。
【請求項５】
前記表示部材はシート状であり、
前記表面部材は、該表示部材よりも大きな厚みを有することを特徴とする請求項１〜４のいずれかに記載の表示パネル構造。
【請求項６】
前記表示部材は、前記表示面となる奥側表面の周囲に前記奥側に向う凸部を有し、
前記表面部材の表示領域は、該凸部を機器の外部から隠すように形成されることを特徴とする請求項２記載の表示パネル構造。
【請求項７】
各種機器の意匠面となる表示パネル構造であって、
透光性を有する表面部材と、
表面部材よりも奥側に設けられ、表面に、表面部材を透過して機器の外部から視認可能な表示面が形成される表示部材とを含み、該表面部材は、予め定める方向に平行で遮光性を有する仕切が内部をスリット状に分割するライトコントロールフィルムであり、
該表示領域は、該仕切によって形成されることを特徴とする。
【請求項８】
前記表示領域では、予め定めるマークが表示されることを特徴とする請求項７記載の表示パネル構造。
【請求項９】
前記表示面の照明手段を含み、
該照明手段が発光することによって、前記表示面を前記機器の外部から視認可能となり、
該照明手段が発光しないと、前記表示領域のみが機器の外部から視認可能であることを特徴とする請求項１〜８のいずれかに記載の表示パネル構造。
【発明の詳細な説明】
【０００１】
【発明の属する技術分野】
本発明は、電気機器などの各種機器で意匠面となる表示パネル構造に関する。
【０００２】
【従来の技術】
従来から、図６に示すような表示パネル１が電気機器などの各種の機器２に、当該機器の機能に応じて、表示器３による各種情報の表示などのために設けられる。表示パネル１は、機器２の利用者がよく見る部分であり、機器２の意匠でも重要な役割を果す。表示器３は、液晶表示装置（ＬＣＤ）、発光ダイオード（ＬＥＤ）、エレクトロルミネセンス（ＥＬ）、蛍光表示管、陰極線管（ＣＲＴ）、プラズマディスプレイパネル（ＰＤＰ）など、各種原理によって情報等の表示を行う。表示パネル１は、アクリル樹脂など透明な合成樹脂材料などで形成され、表示器２による表示を機器２の外部から視認可能とし、さらに一般的には、表示器３の周辺部分が見えないように、印刷等による表示領域４を裏面側に形成し、表示領域４の形状や色彩、模様などについての工夫で、意匠的な効果を高めようとしている。
【０００３】
特開２０００−３４２７３８号公報には、スロットマシンなどの遊技機で複数のシンボルを変動表示する正面パネルで、透明なアクリル板のような基板の裏面に、シンボル表示窓の領域を残してシルクスクリーン印刷などを施して、シンボル表示窓を取囲む背景領域を形成する従来技術に対し、シンボル表示窓に対して後退して見える立体印刷を行う発明について記載されている。
【０００４】
両眼での立体視用の表示についての先行技術は、特開平７−２０８０２号公報や特開平１１−２９６１２４号公報などに開示されている。特開平７−２０８０２号公報には、表面側に円筒レンズが多数形成されているレンチキュラーレンズと３Ｄ画像が合成されたカラーフィルムとで形成する電飾型３Ｄディスプレイについて記載されている。特開平１１−２９６１２４号公報には、立体用原画を設けた透光性の原画表示板と、微細帯状線の透明部と不透明部とが交互にかつ縦方向に平行配置させた視差バリア領域を含む板状スクリーンとで立体映像表示装置を形成し、視差バリア領域に平面画像を描いて、原画表示板の背部に設置する照明手段を点灯すると立体映像と平面映像とを同時に合成して表示することについて記載されている。
【０００５】
立体的な表示は、複数の表示器を奥行方向にずらして配置する組合わせで実現することもできる。たとえば、実開平６−３７８２８号公報には、ＦＬ発光表示管の前方に透過型ＬＣＤを配置するディスプレイ装置で、常時必要な表示と一時的に必要な表示とを選択表示可能とすることが記載されている。
【０００６】
また、特開昭６２−５８２９１号公報には、たとえば自動車のインストルメントパネルに装着するスイッチの部の表示面にライトコントロールフィルムを用い、その背後に光源を配置することについて記載されている。ライトコントロールフィルムは、透明なフィルム内部に、厚み方向に平行で黒色等の遮光性の仕切壁を有し、厚み方向に透光性を有するスリット状の領域が多数形成され、背後から前方に向って透過する透過光を平行光に整光させることができる。整光された光を発することによって、自動車の夜間走行中などでも見やすくすることができると記載してある。
【０００７】
【特許文献１】
特開２０００−３４２７３８号公報
【特許文献２】
特開平１１−２９６１２４号公報
【特許文献３】
特開平７−２０８０２号公報
【特許文献４】
実開平６−３７８２８号公報
【特許文献５】
特開昭６２−５８２９１号公報
【０００８】
【発明が解決しようとする課題】
図６に示すような表示パネル１は、通常１枚使用されるだけであり、表示領域４では単純な表示しかできない。また、単一材質であると、二次加工に不向きであり、特に裏面側に凸部を設けると、凸部付近には印刷ができないので、印刷による表示領域４を形成することができない。
【０００９】
特開２０００−３４２７３８号公報に示すような立体印刷は、シンボル表示窓の周囲の正面パネルに立体感を持たせるために行われ、何らかの情報を表示する機能は有していない。特開平７−２０８０２号公報や特開平１１−２９６１２４号公報の立体視は、立体映像を用意しなければならない。実開平６−３７８２８号公報のように、複数の表示器を組合わせると、コスト上昇を招いてしまう。特開昭６２−５８２９１号公報のようなライトコントロールフィルムは、フロントガラスの窓映りを防止するためであり、ライトコントロールフィルム自体は意匠的な効果を有していない。
【００１０】
本発明の目的は、簡単な構造で立体感のある表示を行い、意匠効果を向上させることができる表示パネル構造を提供することである。
【００１１】
【課題を解決するための手段】
本発明は、各種機器の意匠面となる表示パネル構造であって、
透光性を有する表面部材と、
表面部材よりも奥側に設けられ、表面に、表面部材を透過して機器の外部から視認可能な表示面が形成される表示部材とを含み、
表面部材自体にも、表面よりも奥側に、機器の外部から視認可能な表示領域が形成されることを特徴とする表示パネル構造である。
【００１２】
本発明に従えば、各種機器の意匠面となる表示パネル構造は、表面部材と表示部材とを含む。表面部材は透光性を有し、表示部材は表面部材よりも奥側に設けられ、表面に、表面部材を透過して機器の外部から視認可能な表示面が形成される。表面部材自体にも、表面よりも奥側に、機器の外部から視認可能な表示領域が形成されるので、表面部材の表面よりも奥側で表示領域による表示が行われ、さらにその奥側で表示部材の表示面による表示が行われて、簡単な構造で立体感のある表示を行い、意匠効果を向上させることができる。
【００１３】
また本発明で、前記表面部材は、前記表示部材側に平坦面を有する透明材料からなり、
前記表示領域は、該平坦面上に形成され、
前記表示部材は、大略的に板形状である透明材料からなり、
前記表示面は、該板形状の奥側表面に形成されることを特徴とする。
【００１４】
本発明に従えば、表示領域は透明材料からなる表面部材の表示部材側の平坦面に形成されるので、印刷等で容易に形成することができる。表示領域が形成されていない部分は、奥側の表示部材の表示面に形成される表示を視認可能にすることができる。表示部材は大略的に板形状であり、表示面は奥側表面に形成されるので、表面部材の表示領域との間に間隔をあけることができ、容易に立体感のある表示を行うことができる。
【００１５】
また本発明で、前記表示部材は、複数設けられることを特徴とする。
本発明に従えば、複数の表示部材を用いて、複数層の表示面を形成し、立体感のある表示を行うことができる。
【００１６】
また本発明で、前記表面部材と前記表示部材とは、異種の材質であることを特徴とする。
【００１７】
本発明に従えば、機器の表面に出る表面部材には硬質材を用い、表面部材によって覆われる表示部材には軟質材を用いるなど、意匠面の制約が少なくなり、設計の自由度を向上させることができる。
【００１８】
また本発明で、前記表示部材はシート状であり、
前記表面部材は、該表示部材よりも大きな厚みを有することを特徴とする。
【００１９】
本発明に従えば、表示部材をシート状にするので、容易に多くの枚数を使用する表示を行うことができる。
【００２０】
また本発明で、前記表示部材は、前記表示面となる奥側表面の周囲に前記奥側に向う凸部を有し、
前記表面部材の表示領域は、該凸部を機器の外部から隠すように形成されることを特徴とする。
【００２１】
本発明に従えば、表示部材で表示面となる奥側表面の周囲に凸部を有しても、表面部材の表示領域で機器の外部から隠すことができるので、凸部を利用して組立等の便宜を図ることができる。
【００２２】
さらに本発明は、各種機器の意匠面となる表示パネル構造であって、
透光性を有する表面部材と、
表面部材よりも奥側に設けられ、表面に、表面部材を透過して機器の外部から視認可能な表示面が形成される表示部材とを含み、該表面部材は、予め定める方向に平行で遮光性を有する仕切が内部をスリット状に分割するライトコントロールフィルムであり、
該表示領域は、該仕切によって形成されることを特徴とする。
【００２３】
本発明に従えば、表示領域は透明材料からなる表面部材の表示部材側の平坦面に形成されるので、印刷等で容易に形成することができる。表示領域が形成されていない部分は、奥側の表示部材の表示面に形成される表示を視認可能にすることができる。表面部材では、ライトコントロールフィルムの遮光性を有する仕切に表示領域を形成する。機器の外部で表面部材の仕切に平行な予め定める方向から見れば、仕切の表示領域は見えず、奥側の表示部材の表示面のみを見ることができる。機器の外部から表面部材を見る角度をその予め定める方向からずらしていくと、仕切の表面の表示領域と奥側の表示部材の表示面とを合成して、立体的に見ることができる。さらに見る角度のずれを大きくすると、仕切の表示領域のみを見ることができる。見る角度で表示を変えることができるので、遊び心を持たせた表示が可能となり、意匠効果を向上させることができる。
【００２４】
また本発明で、前記表示領域では、予め定めるマークが表示されることを特徴とする。
【００２５】
本発明に従えば、機器の外部から表示部材を見る方向に応じて、予め定めるマークが見えないで表示面のみが見えたり、そのマークと表示面とが合成して見えたり、マークのみが見えるようにすることができる。
【００２６】
また本発明は、前記表示面の照明手段を含み、
該照明手段が発光することによって、前記表示面を前記機器の外部から視認可能となり、
該照明手段が発光しないと、前記表示領域のみが機器の外部から視認可能であることを特徴とする。
【００２７】
本発明に従えば、表示部材の表示面の背部に照明手段を設け、照明手段を発光させて表示面を機器の外部から視認可能にし、表面部材の表示領域とともに立体感のある表示を発光によって強調させることができる。照明手段を発光させなければ、外部から視認可能な表示は表面部材の表示領域によるもののみとなり、表示に変化を持たせて、遊び心を持たせることも可能となり、意匠効果を向上させることができる。
【００２８】
【発明の実施の形態】
図１は、本発明の実施の第１形態である表示パネル１０の概略的な構造を示す。表示パネル１０は、電子機器のケース１１の正面部分に設けられ、表面部材１２、表示部材１３および表示器１４を含む。表面部材１２は、メタクリル酸メチル（ｐｏｌｙｍｅｔｈｙｌｍｅｔｈａｃｒｙｌａｔｅ）を代表とするアクリル樹脂などの透明な合成樹脂材料を成型して形成され、凸曲面状の表面側と平坦な裏面側とを有する。平坦な裏面側には、表示領域として印刷面１５が形成される。表示部材１３もアクリル樹脂などの透明な合成樹脂材料で形成され、大略的に板状であり、裏面側に表示面として印刷面１６が形成されている。表示器１４は、照明手段であって、ＥＬ、ＬＥＤ、電球、冷陰極管、あるいは光の分散部材などを組合せ、面状に発光することができる。
【００２９】
本実施形態の電子機器のケース１１の外部で、表示パネル１０の正面側から見ると、表示器１４が発光していないときは、印刷面１５の表示のみが充分に見える。表示器１４を発光させると、印刷面１５と印刷面１６とを合成して、立体的に見ることができる。すなわち、２枚の透明材を重ね合せ、それぞれに印刷をして、印刷による表示部位が重ならないようにしておけば、表示器１４の発光状態に応じて、立体的な表示を行わせることができる。印刷面１５と印刷面１６とは、表面部材１２の裏面側に表示部材１３の表面側が密着しているような場合でも、表示部材１３の厚み分の間隔はあけることができるので、３次元的に奥行のある立体表示を容易に行うことができる。
【００３０】
表示パネル１０では、各種機器の意匠面となり、透光性を有する表面部材１２と、表面部材１２よりも奥側に設けられ、表面に、表面部材１２を透過して機器の外部から視認可能な印刷面１６が形成される表示部材１３とを含み、表面部材１２自体にも、表面よりも奥側に、機器の外部から視認可能な印刷面１５が形成される。表面部材１２の表面よりも奥側で印刷面１５による表示が行われ、さらにその奥側で表示部材１３の印刷面１６による表示が行われて、簡単な構造で立体感のある表示を行い、意匠効果を向上させることができる。
【００３１】
なお、表面部材１２および表示部材１３の印刷面１５，１６に代えて、直接描画したり、表面に表示が行われているフィルムやシートを貼付けたり、機械的に刻印を形成したりして表面部材１２の表示領域や表示部材１３の表示面として形成することもできる。
【００３２】
図２は、本発明の実施の第２形態である表示パネル２０の概略的な構造を示す。本実施形態で、図１の実施形態に対応する部分には同一の参照符を付し、重複する説明を省略する。本実施形態では、２枚の表示部材２１，２２を用い、それぞれ裏面側に印刷面２３，２４を形成する。表示器１４を点灯させれば、印刷面２３，２４による立体的な表示を、前方の印刷面１５による表示と組合わせて行うことができる。表示部材２１，２２は、３枚以上用いることもでき、さらに立体的な表示効果を得ることができる。
【００３３】
表示部材２１，２２としては、図１の表示部材１３と同様に、アクリル樹脂などの透明な合成樹脂材料を用いることができる。また、表面部材１２と表示部材２１，２２との材質を異ならせることもできる。図１の表示部材１３も表面部材１２と材質を異ならせることができる。表面部材１２は、機器の外部に表面が露出しているので、硬質で表面が傷つきにくい必要があり、光学的性質に優れた透明材料を使用することが好ましい。アクリル樹脂は、無色透明な熱可塑性樹脂であり、美しい外観を得ることができる。ただし、材料コストは比較的高くなる。表示部材１３，２１，２２は、表面部材１２によって覆われているので、熱可塑性の合成樹脂、たとえばポリカーボネート（ｐｏｌｙｃａｒｂｏｎａｔｅ　）やＡＢＳ（
Ａｃｒｉｌｏｎｉｔｒｉｌｅ−Ｂｕｔａｄｉｅｎｅ−Ｓｔｙｒｅｎｅ　ｃｏｐｏｌｙｍｅｒ　）などの材質を使用することができる。表示部材１３，２１，２２として、アクリル樹脂以外の熱可塑性の材料を使用することによって、材料コストの低減や加工の容易化を図ることができる。
【００３４】
本実施形態のように、表示部材２１，２２を複数枚使用する場合は、表示部材２１，２２間で材質を異ならせることもできる。また、表示部材２１，２２にシート状あるいはフィルム状の透明材を用いることもできる。ポリカーボネートやＰＥＴ（Ｐｏｌｙ−Ｅｔｙｌｅｎｅ−Ｔｅｒｅｐｈｔｈａｌａｔｅ）等を材質とするシート状などの透明材は、厚みが比較的薄いので、多くの枚数を重ねて、複雑な立体表示を行うことができる。表面部材１２や表示部材１３，２１，２２としては、有機系の合成樹脂材料ばかりではなく、無機系のガラス材料などを使用することもできる。また、無色透明な材料ばかりではなく、透光性を有していれば、有色の材料を使用することもできる。
【００３５】
図３は、本発明の実施の第３形態である表示パネル３０の概略的な構造を示す。本実施形態でも図１の実施形態に対応する部分には同一の参照符を付し、重複する説明を省略する。本実施形態では、表示部材３１に凸部３２を設ける。凸部３２はボスなどとして、表示器１４の取付や位置決めなど、機器の組立の便宜を図ったり、表示部材３１の機械的な補強に利用することができる。ただし、凸部３２の付近には印刷ができないので、印刷面３３を形成することができない。凸部３２から離れたところには印刷面３３を形成することができる。凸部３２付近には印刷はできないけれども、表面部材１２の印刷面１５で隠すことができ、ケース１１の外部からは凸部３２の存在を意識させないで、立体的な表示を行わせることができる。
【００３６】
表示部材３１と表面部材１２との間に、複数枚の表示部材を設けることもできる。また、表示部材３１の材質については、図１や図２の表示部材１３，２１，２２と同様とすることができる。
【００３７】
図４は、本発明の実施の第４形態である表示パネル４０部分のみの概略的な構造を示す。本実施形態でも、図１〜図３の実施形態に対応する部分には同一の参照符を付し、重複する説明を省略する。本実施形態の表示パネル４０では、表面部材としてライトコンとロールフィルム（以下、「ＬＣＦ」と略称する）４１を使用する。ＬＣＦ４１は、基本的に特開昭６２−５８２９１号公報に開示されている製造方法に従って製造することができる。本実施形態のＬＣＦは、透明な合成樹脂材料による透光部４２中に、遮光性を有する仕切４３が一定間隔で、かつ厚さ方向に平行に配置され、透光性を有するスリットが形成される。ＬＣＦ４１の奥には、表面に表示面４４が形成されている表示器４５が配置されている。
【００３８】
図４（ａ）は表示パネル４０をケース１１の外部の正面から見た場合を示し、図４（ｂ）はケース１１外部で正面から斜めになる方向で見た場合を示す。正面から見ると、表示面４４のみを見ることができる。斜めから見た場合、スリットの仕切４３と表示面４４とを合成してみることができる。正面からのずれの角度が大きくなると、仕切４３のみしか見ることができなくなる。仕切４３は、通常黒色であるけれども、本実施形態では着色する。これによって、斜めから見る場合、着色したスリットの仕切４３が見えるようになり、表示パネル４０の表示面４４を見る角度によって、色がついて見えるようになる。
【００３９】
図５は、図４の仕切４３、ロゴ等４６の表示を行わせる状態を示す。表示面４４では情報の表示を行い、ロゴ等４６は商標などのマークであることが多いけれども、説明の便宜のために、表示面４４では「○」の表示を行い、ロゴ等４６として「□」の表示を行うこととすると、図４の（ａ），（ｂ）に対応して、図５（ａ），（ｂ）にそれぞれ示すような表示を行うことができる。
マークと表示面とが合成して見えたり、マークのみが見えるようにすることができる。
【００４０】
なお、以上で説明した各実施形態で、表示器１４，４５は発光可能な照明手段として機能して、発光することによって、印刷面１６，２３，２４，３３や表示面４４を機器の外部から視認可能とすることができる。表示器１４，４５が発光しないと、表面部材１２の印刷面１５やＬＣＦ４１の仕切４３に形成される表示領域のみが機器の外部から視認可能である。すなわち、表示部材１３，２２，３１や表示面４４の背部に照明手段を設け、照明手段を発光させて印刷面１６、２３，２４，３３表示面を機器の外部から視認可能にし、表面部材１２の印刷面１５やＬＣＦ４１の仕切４３上の表示領域とともに立体感のある表示を発光によって強調させることができる。照明手段を発光させなければ、外部から視認可能な表示は表面部材１２の印刷面１５やＬＣＦ４１の仕切４３上の表示領域によるもののみとなり、表示に変化を持たせて、遊び心を持たせることも可能となり、意匠効果を向上させることができる。
【００４１】
【発明の効果】
以上のように本発明によれば、表面部材は透光性を有し、表示部材は表面部材よりも奥側に設けられ、表面に、表面部材を透過して機器の外部から視認可能な表示面が形成されるので、表面部材の表面よりも奥側で表示領域による表示が行われ、さらにその奥側で表示部材の表示面による表示が行われて、簡単な構造で立体感のある表示を行い、意匠効果を向上させることができる。
【００４２】
また本発明によれば、表示領域は透明材料からなる表面部材の表示部材側の平坦面に、印刷等で容易に形成することができ、表示領域が形成されていない部分では、奥側の表示部材の表示面に形成される表示を視認可能にして、容易に立体感のある表示を行うことができる。
【００４３】
また本発明によれば、複数の表示部材で複数層の表示面を形成し、立体感のある表示を行うことができる。
【００４４】
また本発明によれば、表面部材と表示部材とで材質を異ならせることができるので、意匠面の制約が少なくなり、設計の自由度を向上させることができる。
【００４５】
また本発明によれば、表示部材をシート状にして、多くの枚数を使用する立体的な表示を容易に行うことができる。
【００４６】
また本発明によれば、表示部材で表示面となる奥側表面の周囲に凸部を有するようにして、組立等の便宜を図ることができる。
【００４７】
さらに本発明によれば、ライトコントロールフィルムの遮光性を有する仕切に表示領域を形成し、仕切の表面の表示領域と奥側の表示部材の表示面とを合成して、立体的に見ることができる。見る角度で表示を変えることができるので、遊び心を持たせた表示が可能となり、意匠効果を向上させることができる。
【００４８】
また本発明によれば、機器の外部から表示部材を見る方向に応じて、予め定めるマークと表示面との見え方が変って見えるようにすることができる。
【００４９】
また本発明によれば、表示部材の表示面の背部に照明手段を設け、照明手段の発光の有無に応じて、表示に変化を持たせて、遊び心を持たせることも可能となり、意匠効果を向上させることができる。
【図面の簡単な説明】
【図１】本発明の実施の第１形態である表示パネル１０の概略的な構造を示す断面図である。
【図２】本発明の実施の第２形態である表示パネル２０の概略的な構造を示す断面図である。
【図３】本発明の実施の第３形態である表示パネル３０の概略的な構造を示す断面図である。
【図４】本発明の実施の第４形態である表示パネル４０部分のみの概略的な構造と、表示を見る方向の違いを示す断面図である。
【図５】図４の実施形態で、ＬＣＦ４１の仕切４３でロゴ等４６の表示を行う場合に、見る角度に応じて見える状態を示す。
【図６】従来からの表示パネル１の概略的な構造を示す断面図である。
【符号の説明】
１０，２０，３０，４０　表示パネル
１１　ケース
１２　表面部材
１３，２１，２２，３１　表示部材
１４，４５　表示器
１５，１６，２３，２４，３３　印刷面
４１　ＬＣＦ
４２　透光部
４３　仕切
４４　表示面
４６　ロゴ等
【図１】
2004117566.tif 000003
【図２】
2004117566.tif 000004
【図３】
2004117566.tif 000005
【図４】
2004117566.tif 000006
【図５】
2004117566.tif 000007
【図６】
2004117566.tif 000008